(57)【要約】【課題】部屋数の少ない住宅の室内で布団を干そうとした場合、従来の布団干し装置では、場所を取り過ぎてしまい設置が困難であったり、一枚づつしか干せないという欠点があった。【解決手段】交差する２本の支柱（１）から成る脚部（２）一対が支持棒（３）により回転可能に対向して支持固定され、前記脚部（２）一対の対向内面から内側側面にかけて凹部又は凸部からなるジョイント受部（４）を適宜間隔で複数組設け、前記ジョイント受部（４）に嵌合するジョイント部（５）を端部に有し、前記間隔に対応して順次下部から上部に掛けて幅が広くなるようした前記組数の布団掛け板（６）を有する多段式布団干し装置とする。【選択図】図１
2009148530.tif 000002
【特許請求の範囲】
【請求項１】
交差する２本の支柱（１）から成る脚部（２）一対が支持棒（３）により回転可能に対向して支持固定され、前記脚部（２）一対の対向内面から内側側面にかけて凹部又は凸部からなるジョイント受部（４）を適宜間隔で複数組設け、前記ジョイント受部（４）に嵌合するジョイント部（５）を端部に有し、前記間隔に対応して順次下部から上部に掛けて幅が広くなるようした前記組数の布団掛け板（６）を有することを特徴とする多段式布団干し装置。
【請求項２】
請求項１に記載の多段式布団干し装置において、前記脚部（２）の開脚幅を規制するワイヤー部（８）を、前記交差する２本の支柱（１）間に設けたことを特徴とする多段式布団干し装置。
【請求項３】
請求項１及び請求項２に記載の多段式布団干し装置において、前記脚部（２）を折り畳んだ際に、該脚部（２）を開脚不能に固定するフック部（７）を有することを特徴とする多段式布団干し装置。
【発明の詳細な説明】
【技術分野】
【０００１】  本発明は、布団干し具に関し、特に多段式の室内に適した布団干し装置に関するものである。
【背景技術】
【０００２】  従来の布団干し装置としては、横方向又は円周方向に広げた複数の干し竿間に広げて布団を掛けたり、折り畳み式であっても１枚しか干せないもの等があり、それらは登録実用新案第３０９８０３６号公報及び特開２０００−２７１３９４号公報に開示されている。【０００３】
【特許文献１】登録実用新案第３０９８０３６号公報
【特許文献２】特開２０００−２７１３９４号公報
【発明の開示】
【発明が解決しようとする課題】
【０００４】  しかしながら、ワンルームマンション等で状況によりベランダも使用できない様な環境において、やむなく室内で布団を干そうとした場合、従来の布団干し装置では、場所を取り過ぎてしまい設置が困難であったり、一枚づつしか干せず、セットの複数の布団を一度に干そうとすると無利があるという欠点があった。【０００５】  また、何れの場合も布団干しをしない状態では、布団干し具が占有する容積が大きく、部屋の居住空間の有効利用が妨げられるという問題もあった。【０００６】  本発明は上記の問題を解決することを目的とし、狭い室内であっても一度に複数枚の布団を干すことができると同時に、分解収納時の占有容積が少ない多段式の布団干し装置を提供することを目的とするものである。
【課題を解決するための手段】
【０００７】  本発明は、交差する２本の支柱（１）から成る脚部（２）一対が支持棒（３）により回転可能に対向して支持固定され、脚部（２）一対の対向内面から内側側面にかけて凹部又は凸部からなるジョイント受部（４）を適宜間隔で複数組設け、ジョイント受部（４）に嵌合するジョイント部（５）を端部に有し、前記間隔に対応して順次下部から上部に掛けて幅が広くなるようした前記組数の布団掛け板（６）を有することを特徴とする。【０００８】  さらに、脚部（２）の開脚幅を規制するワイヤー部（８）を、交差する２本の支柱（１）間に設けたことを特徴とする。【０００９】  またさらに、脚部（２）を折り畳んだ際に、脚部（２）を開脚不能に固定するフック部（７）を有することを特徴とする。
【発明の効果】
【００１０】  本発明の多段式の布団干し装置は、高さ方向に複数枚布団を干すことを可能としたので、狭い室内の場合であっても僅かな占有面積により、一度に複数枚の布団を干すことを可能にするという利点を有する。【００１１】  また、布団掛け板（６）が下部から上部に掛けて幅が広がるようにした為、干した布団同士の隙間を確実に確保したので、布団を重ねて干した状態でも乾き易いという利点を有する。【００１２】  さらに、折り畳み時であっても、コンパクトに折り畳めるので、収納時の占有面積が少なくて済むという利点を有する。【００１３】  またさらに、開脚時に開脚幅を規制するワイヤー部（８）を設けたことにより、容易に組み立てを可能とすると共に、折り畳み収納時には、脚部（２）を固定するフック部（７）を有することにより、安全確実に収納できるという利点を有する。
【発明を実施するための最良の形態】
【００１４】  以下、本発明の実施の形態について詳細を説明するが、本発明は以下の実施の形態に限定されるものではない。【００１５】  図１は本発明の多段式布団干し装置の側面図であり、図２は本発明の多段式布団干し装置の正面図である。２本の支柱（１）から成る脚部（２）は、この支柱（１）のほぼ中央部で支持棒（３）の一端部に回動自在に接続固定され、さらにもう一方の脚部（２）が支持棒（３）の他端部に同じく回動自在に接続固定されている。【００１６】  この一対の脚部（２）を、ほぼ中央部の支持棒（３）を中心に開口させた状態で、その開口幅を規定する為のワイヤー部（８）が２本の支柱（１）を繋ぐ下部又は上部に設けられており、このワイヤー部（８）により、それ以上広がらないように開口幅が規制されている。ワイヤー部（８）の材質は、伸縮性せず且つ柔軟性のある素材がよく、金属又は樹脂等であればよい。また、一対の脚部（２）間にはそれぞれの幅がｗａ、ｗｂ、ｗｃの布団掛け板（６ａ）（６ｂ）（６ｃ）が接続されている。【００１７】  図３は布団掛け板装着前の本発明の多段式布団干し装置である。支柱（１）の一組の脚部（２）が対向する側の支持棒（３）より上側の部分には、ほぼ均等な間隔をおいて、凹部からなるジョイント受部（４）が下段（４ａ）、中段（４ｂ）、上段（４ｃ）の３組形成されている。【００１８】  図４は本発明の布団掛け板（６）の上面図である。前記のジョイント受部（４）の下段（４ａ）、中段（４ｂ）、上段（４ｃ）それぞれに嵌合する布団掛け板（６ａ）（６ｂ）（６ｃ）が用意されており、この布団掛け板（６ａ）（６ｂ）（６ｃ）それぞれの幅はｗａ＜ｗｂ＜ｗｃの関係になっている。【００１９】  また、この布団掛け板（６ａ）（６ｂ）（６ｃ）の側面には、同図及び図５（ａ）に示すようなジョイント部（５）が形成されており、このジョイント部（５）が前記支柱（１）のジョイント受部（４ａ）（４ｂ）（４ｃ）それぞれに嵌合することにより、脚部（２）と布団掛け板（６）が固定され、本発明の多段式布団干し装置が完成する。【００２０】  図６は本発明の多段式布団干し装置に布団を干した状態図を示す。布団（９）を干す場合、最初に下段に布団を掛け、次に中段、上段へと順次布団を掛けていく手順がよい。また、布団を敷いた状態で、その足元に本発明の布団干し装置を予め設置しておく事により、起きてすぐに敷いてある布団の順番のまま干すことが出来、僅かな時間で布団干しを可能にすると共に、乾燥後布団を敷く際には、そのまま上段から順次その順番で敷いていくことが出来る。【００２１】  図７は本発明の多段式布団干し装置を折り畳んだ状態を示す。布団掛け板（６）をジョイント受部（４）から取り外し、支持棒（３）を中心にして支柱（１）を折り畳み、その後、フック部（７）により２本の支柱（１）を固定することにより、脚部（２）を安全且つコンパクトに収納することができる。【００２２】  尚、支柱（１）の下部には必要に応じて、車輪を設けてもよく、また、ジョイント部（５）とジョイント受部（４）とは、嵌合される凹形状と凸形状の関係であればよいので、本実施の形態で説明した図５（ａ）の他、図５（ｂ）に示すように、どちらが凹形状又は凸形状であってもよい。【００２３】  また、支柱（１）、支持棒（３）、布団掛け板（６）の材質はステンレス、アルミ、樹脂又は木材等であればよく、特に材質にこだわるものではないが、フック部（７）の材質は剛性の強い金属材又は硬質樹脂材等が好ましい。【００２４】  さらに、図２、図３に示した本実施の形態では、支持棒（３）で接続される左右の脚部（２）を構成する支柱（１）の配置は、正面から見て内側同士と外側同士を組み合わせた構成としたが、組立性等を考慮して、左側同士と右側同士を組み合わせた構成としてもよく、ジョイント受部（４）とジョイント部（５）の配置もそれに対応させて配置すればよい。またさらに、この組み合わされた支柱（１）間には必要に応じて、補強部を設けるとよい。
【産業上の利用可能性】
【００２５】  以上、本発明の多段式布団干し装置の構造について説明したが、使用勝手については、狭い室内で使用することを主目的としているものの、戸外に適用した場合においても、より効率よく布団を干すことを可能とするものである。【００２６】  また、日が当たらない室内環境で使用する場合、タイマー付きの送風装置又はドライヤー等の電熱式送風装置を組合せて使用することにより、太陽光を利用しなくとも布団乾燥が可能となる。この場合、前述した構成により、干した布団同士の隙間を確実に確保しているので、送風がまんべんなく布団に行渡り、乾燥時間を短縮することが可能となる。
【図面の簡単な説明】
【００２７】
【図１】本発明の多段式布団干し装置の側面図である。
【図２】本発明の多段式布団干し装置の正面図である。
【図３】本発明の多段式布団干し装置から布団掛け板を取外した正面図である。
【図４】本発明の布団掛け板の上面図である。
【図５】本発明のジョイント部の拡大上面図である。
【図６】本発明の多段式布団干し装置に布団を干した状態側面図である。
【図７】本発明の多段式布団干し装置を折り畳んだ状態側面図である。
【符号の説明】
【００２８】１  支柱
２  脚部
３  支持棒
４  ジョイント受部
５  ジョイント部
６  布団掛け板
７  フック部
８  ワイヤー部
９  布団
【図１】
2009148530.tif 000003
【図２】
2009148530.tif 000004
【図３】
2009148530.tif 000005
【図４】
2009148530.tif 000006
【図５】
2009148530.tif 000007
【図６】
2009148530.tif 000008
【図７】
2009148530.tif 000009